(57)【要約】【課題】ガス管、水道管、石油のパイプライン等の、所定の長さを備えた管の全てに適用できる流体（液体・気体）の移動速度向上方法と、流体（液体・気体）の移動速度向上装置を提供する。【解決手段】本発明に係る流体（液体・気体）Ｐの移動速度向上方法は、管１内を移動する流体（液体・気体）Ｐに、回転力を与えて遠心力を発生させることで、管１内における流体（液体・気体）Ｐの移動速度Ｖを向上させる。また、管１内を移動する流体（液体・気体）Ｐは、左回転もしくは右回転の回転力が与えられる。さらに、流体（液体・気体）Ｐの回転力を、管１内の壁面に形成した突条もしくは溝条の螺旋部２により発生させる。一方、本発明に係る流体（液体・気体）Ｐの移動速度向上装置は、管１内の長手方向において、左回転方向もしくは右回転方向の螺旋部２を設けてある。【選択図】          図１
2005069250.tif 000002
【特許請求の範囲】
【請求項１】
管内を移動する流体（液体・気体）に、回転力を与えて遠心力を発生させることで、管内における流体（液体・気体）の移動速度を向上させたことを特徴とする流体（液体・気体）の移動速度向上方法。
【請求項２】
管内を移動する流体（液体・気体）は、左回転もしくは右回転の回転力が与えられる請求項１に記載の流体（液体・気体）の移動速度向上方法。
【請求項３】
流体（液体・気体）の回転力を、管内の壁面に形成した突条もしくは溝条の螺旋部により発生させる請求項１または２に記載の流体（液体・気体）の移動速度向上方法。
【請求項４】
管内の螺旋部は、管の長手方向において、左回転方向もしくは右回転方向に形成されている請求項３に記載の流体（液体・気体）の移動速度向上方法。
【請求項５】
管内の螺旋部は、断面形状が矩形状もしくは三角形状に形成されている請求項３または４に記載の流体（液体・気体）の移動速度向上方法。
【請求項６】
管内の長手方向において、左回転方向もしくは右回転方向の螺旋部を設けたことを特徴とする流体（液体・気体）の移動速度向上装置。
【請求項７】
管内の螺旋部は、管内の側面に設けた突条もしくは溝条により形成されている請求項６に記載の流体（液体・気体）の移動速度向上装置。
【発明の詳細な説明】
【０００１】
【発明の属する技術分野】
本発明は、ガス管、水道管、石油のパイプライン等の、所定の長さを備えた管の全てに適用できる流体（液体・気体）の移動速度向上方法と、流体（液体・気体）の移動速度向上装置に関するものである。
【０００２】
【従来の技術】
例えば、従来の水力発電所においては、高所にある水を所定の管を介して低所に勢い良く落とし込み、管内の水流を利用して所定のブレードを高速回転させ、発電機により発電を行なっていた。このとき、管内を流れる水の速度が向上すれば、同一流量の水で発電量を増加できる可能性がある。すなわち、管内における水の流速を増幅することにより、発電量を約２０％〜３０％増加させることが可能となる。また、ガス管等においても、管内を流れるガスの速度が向上すれば、ガスの輸送が効率の良いものとなる。
【０００３】
【特許文献１】特になし
【０００４】
【発明が解決しようとする課題】
しかしながら、従来においては、管内における水やガス等の流速を向上させるための具体的な方法や装置が、何等存在しないのが実状であった。
【０００５】
そこで、本発明は叙上のような従来存した諸事情に鑑み創出されたもので、エネルギーの改善として炭酸ガスの削減をはじめ、電力等の大幅なコスト削減に繋がる流体（液体・気体）の移動速度向上方法と、流体（液体・気体）の移動速度向上装置を提供することを目的とする。
【０００６】
【課題を解決するための手段】
本発明に係る流体（液体・気体）の移動速度向上方法においては、管内を移動する流体（液体・気体）に、回転力を与えて遠心力を発生させることで、管内における流体（液体・気体）の移動速度を向上させたことにより、上述した課題を解決した。
【０００７】
また、管内を移動する流体（液体・気体）は、左回転もしくは右回転の回転力が与えられることで、同じく上述した課題を解決した。
【０００８】
さらに、流体（液体・気体）の回転力を、管内の壁面に形成した突条もしくは溝条の螺旋部により発生させることで、同じく上述した課題を解決した。
【０００９】
また、管内の螺旋部は、管の長手方向において、左回転方向もしくは右回転方向に形成されていることで、同じく上述した課題を解決した。
【００１０】
加えて、管内の螺旋部は、断面形状が矩形状もしくは三角形状に形成されていることで、同じく上述した課題を解決した。
【００１１】
一方、本発明に係る流体（液体・気体）の移動速度向上装置においては、管内の長手方向において、左回転方向もしくは右回転方向の螺旋部を設けたことで、上述した課題を解決した。
【００１２】
また、管内の螺旋部は、管内の側面に設けた突条もしくは溝条により形成されていることで、同じく上述した課題を解決した。
【００１３】
以上のように構成された本発明に係る流体（液体・気体）の移動速度向上方法と、流体（液体・気体）の移動速度向上装置においては、管内に設けた螺旋部が、管内を流れる流体（液体・気体）に対し遠心力を発生させて、流速を一方向へ集結させる力を作用させ、これにより流体（液体・気体）の管内における移動速度を向上させる。
【００１４】
【発明の実施の形態】
以下に、本発明の一実施の形態を、図面を参照して説明する。本発明において用いる管１は、水道管・下水管・ガス管・石油のパイプライン・石油タンカー等への給油管・水力発電用の流水管等の、流体（液体・気体）Ｐが流れて移動する全ての管１に使用される。この管１は、例えば、鋼製・コンクリート製等であり、図１に示すように、管１の内壁面には、管１の長手方向に沿って、左回転方向もしくは右回転方向の突条の螺旋部２を設けてある。
【００１５】
この螺旋部２により、管１内を移動する流体（液体・気体）Ｐに対し、左回転もしくは右回転の回転力を与えて遠心力を発生させることで、管１内における流体（液体・気体）Ｐの移動速度Ｖを向上させるのである。尚、この螺旋部２は、突条に限定されることはなく、溝条に形成されていても良い。
【００１６】
また、管１内の螺旋部２は、図２（ａ）に示すように、断面形状が矩形状に形成されている。尚、この螺旋部２は、断面形状が矩形状のものに限定されることはなく、例えば、図２（ｂ）に示すように、断面形状が三角形状であっても良い。さらに、螺旋部２は、断面形状が円弧状等に形成されていても良い。
【００１７】
次に、以上のように構成された本発明について、使用・動作の一例を説明する。図１に示すように、流体（液体・気体）Ｐが菅１内の一方向に流れると、流体（液体・気体）Ｐは、螺旋部２に沿って強制的に回転しながら管１内を移動する。これにより流体（液体・気体）Ｐに対し遠心力が発生し、流速を一方向へ集結させる力が働いて、流体（液体・気体）Ｐの管１内における移動速度Ｖが向上する。
【００１８】
本発明は、流体（液体・気体）Ｐ以外の、様々な固体（物品）を移送する手段としても利用できる。これによって、従来の移送時間の大幅な短縮が可能となり、世の中の移送手段が画期的に変わることが期待される。
【００１９】
【発明の効果】
本発明は、以上のように構成されているために、流体（液体・気体）Ｐの管１内における移動速度Ｖを向上させることにより、エネルギーの改善として炭酸ガスの削減をはじめ、電力等の大幅なコスト削減に繋がる。すなわち、流体（液体・気体）Ｐの管１内における移動速度Ｖを向上させることにより、水力発電においては、同一流量の水で、発電量を２０％〜３０％増加させることができる。また、石油タンカー等へ給油するような場合、その給油時間が大幅に短縮される。
しかも、約１万ｋｍ以上の長い石油のパイプラインにあっては、石油移送のスピードアップが可能となる。さらに、ガス管においても、ガスの輸送に要する時間を大幅に短縮できる。加えて、下水管においては、流速が早いため、管詰まりの防止に繋がる。
【００２０】
さらに具体的な構成として、管１内の螺旋部２は、管１内の側面に設けた突条もしくは溝条により形成されているので、流体（液体・気体）Ｐの移動速度Ｖを向上させる管１を容易且つ安価に作製することができる。
【図面の簡単な説明】
【図１】菅内に突条の螺旋部を設けた構成を示す一部切欠の斜視図である。
【図２】管内に設けた螺旋部の構成を示し、（ａ）は断面形状が矩形状に形成されている場合の断面図、（ｂ）は断面形状が三角形状に形成されている場合の断面図である。
【符号の説明】
Ｐ…流体（液体・気体）              Ｖ…移動速度
１…管                              ２…螺旋部
【図１】
2005069250.tif 000003
【図２】
2005069250.tif 000004